(57)【特許請求の範囲】
【請求項１】
両端が貫通している中空筒状の軸体と、前記軸体の先端部に装着され、該先端部から突出する中空筒状になされた軟質の外針と、該外針の筒内に挿通された硬質の内針と、該軸体の筒内に収納され該内針の後端を保持する内針ユニットと、輸液チューブが接続される該軸体の後端部に形成された連結部とを備えた留置針注射器において、
前記軸体の筒内には、前記内針ユニットと前記連結部との間に配置された、両端が貫通している中空筒状の貫通針が収納され、
前記内針ユニットは両端が貫通した中空筒状になされ、前記外針に挿通された内針の先端部が該外針から前方に突出した状態になるように、その先端部で前記内針の後端部を保持すると共に、前記内針ユニットの筒内に前記内針からの液体の流入を防ぐ液止部材が装着され、
前記連結部には、前記輸液チューブからの輸液の流入を封止する封止部材が装着され、
ユーザからの操作を受けると、前記内針ユニットが前記軸体の後端側に後退して、前記突出させた内針の先端部を後退させ該軸体内に収納し、
前記貫通針の一端が該後退してくる内針ユニットの筒内に挿通し、該筒内に装着された前記液止部材を貫通することにより該貫通針が内針を介して外針と連通し、さらに、前記内針ユニットの後退によって、該貫通針の他端が前記連結部に装着された封止部材を貫通することにより、前記外針から該内針を通って前記連結部に接続される輸液チューブに至る輸液ラインを連通させるようになされていることを特徴とする留置針注射器。
【請求項２】
前記軸体の筒内には、該軸体の後端側に向けて前記内針ユニットを付勢する付勢手段が設けられ、
前記内針ユニットは、前記軸体の側面部に着脱自在に係止できるようになされ、該係止された場合に前記外針に挿通された内針の先端部を該外針から前方に突出させた状態で維持し、ユーザからの操作により前記係止が解除された場合に前記付勢手段に付勢されて当該軸体の後端側に後退することを特徴とする請求項１に記載の留置針注射器。
【請求項３】
前記貫通針は、その両端が、それぞれ、鋭利な形状に形成されていることを特徴とする請求項１に記載の留置針注射器。
【請求項４】
前記貫通針の外周側面には、前記軸体の筒内側面に支持される貫通体が外嵌されており、
前記貫通体は、上端側の外周側面および下端側の外周側面に、それぞれ、シール部材が装着され、
前記輸液ラインが連通した場合、前記上端側の外周側面のシール部材が前記連結部の内周側面に当接して該連結部との間をシールし、前記下端側の外周側面のシール部材が前記内針ユニットの上端側の内筒面に当接して該内針ユニットとの間をシールするようになされていることを特徴とする請求項１に記載の留置針注射器。
【請求項５】
両端が貫通している中空筒状の軸体と、前記軸体の先端部に装着され、該先端部から突出する中空筒状になされた軟質の外針と、該外針の筒内に挿通された硬質の内針と、該軸体の筒内に収納され該内針の後端を保持する内針ユニットと、輸液チューブが接続される該軸体の後端部に形成された連結部とを備えた留置針注射器において、
前記内針ユニットは、両端が貫通した中空筒状になされ、その先端部で前記内針の後端部を保持し、その筒内に前記内針からの液体の流入を防ぐ液止部材が装着され、
前記連結部には、前記輸液チューブからの輸液の流入を制御する連通機構が設けられ、
前記連通機構は、
両端が貫通した中空筒状の貫通針と、
前記貫通針の後端側の外周部に外嵌され、且つ先端に弁体が形成された弁棒と、
両端が貫通した中空筒状になされ、その筒内に前記弁体と密着する弁座部が形成され、且つ該筒内に前記貫通針が挿通される継手部と、
前記継手部の上端部に嵌合固定された止め具と、
前記止め具と、前記弁体の後端面とに挟持された弾性体とを備え、
前記弾性体により、前記軸体の前方に向けて弁棒が付勢されて前記弁体の先端面と弁座部とが密着されて輸液チューブからの輸液の流入が阻止するようになされ、
ユーザからの操作を受けると、前記内針ユニットが前記軸体の後端側に後退して、前記突出させた内針の先端部を後退させ該軸体内に収納し、
前記貫通針の一端が該後退してくる内針ユニットの筒内に挿通し、該筒内に装着された前記液止部材を貫通することにより該貫通針が内針を介して外針と連通し、さらに、前記貫通針及び弁棒が、該後退してくる内針ユニットに付勢されて後退し、該弁棒の弁体が前記弁座部から離れることにより、前記外針から該内針を通って前記連結部に接続される輸液チューブに至る輸液ラインを連通させるようになされていることを特徴とする留置針注射器。
【請求項６】
前記軸体の筒内には、該軸体の後端側に向けて前記内針ユニットを付勢する付勢手段が設けられ、
前記内針ユニットは、前記軸体の側面部に着脱自在に係止できるようになされ、該係止された場合に前記外針に挿通された内針の先端部を該外針から前方に突出させた状態で維持し、ユーザからの操作により前記係止が解除された場合に前記付勢手段に付勢されて当該軸体の後端側に後退することを特徴とする請求項５に記載の留置針注射器。
【発明の詳細な説明】
【技術分野】
【０００１】
本発明は、留置針注射器に関し、例えば、皮膚を貫通して血管へ達するための金属製の内針と、その内針の外側に位置し、血管内へ留置される軟質の外針とを備えた留置針注射器に関する。
【背景技術】
【０００２】
従来から、留置針を用いて患者の血管に対して、人工透析を行ったり、所定の薬液等を供給する輸液を行ったりする処置が行われている。そして、上記留置針の構造は、例えば、特許文献１に開示されている。
ここで、図１６を参照しながら、特許文献１に記載された従来技術の留置針の構造について説明する。
【０００３】
具体的には、図示するように、従来技術による留置針Ｚは、可撓性を有するプラスチック製の外針１００と、外針１００に外嵌固定された固定翼１１０と、外針１００の基端部に設けられた外針側ハブ１０３と、外針１００及び外針側ハブ１０３に挿脱自在に挿通され、先端部が外針１００から前方に突出する内針１２０と、内針１２０の基端部に外嵌固定された内針側ハブ１２１とを備えている。
【０００４】
また、固定翼１１０は、外針１００の後端部に外嵌固定される保持筒部１１１と、保持筒部１１１の下部から左右両側方に突設された左右一対の翼部１１２と、左右一対の連結部（リブ部）１１３とを有している。
また、外針側ハブ１０３は筒状になされ、その先端部が外針１００の基端部に外嵌固定されている。
また、内針側ハブ１２１は、筒状になされ、その先端部が内針１２０の基端部に外嵌固定されると共に、外針側ハブ１０３の基部に挿脱自在に挿入される。
【０００５】
そして、上記留置針Ｚを用いた患者に対する輸液や採血は、以下のように行われる。
具体的には、まず、医師や看護師等の使用者は、上記留置針Ｚを持って、患者の血管に、内針１２０及び外針１００を穿刺する。
次に、上記の内針１２０及び外針１００の穿刺が完了すると、固定翼１１０の翼部１１２を患者（患者の腕や手等）にテープで固定する。
次に、外針１００及び外針側ハブ１０３から内針１２０を抜いて取り外し、その後、外針側ハブ１０３に輸液用のチューブを接続して輸液や採血等を行う。
【０００６】
また、従来から、上述した留置針では、内針を取り外した際の「針刺し事故」を防ぐために、内針を収納可能な本体部を設けて、スプリング等の付勢手段により、内針を後退させて本体部に収納した上で、外針から本体部を取り外すものも提案されている（例えば、特許文献２）。
【先行技術文献】
【特許文献】
【０００７】
【特許文献１】特開２００３−３３９８５８号公報
【特許文献２】特開２００１−３０９９８３号公報
【発明の概要】
【発明が解決しようとする課題】
【０００８】
しかしながら、上述した従来技術の留置針を利用する場合、患者の血管に、内針及び外針を穿刺した後に、外針から内針（或いは、内針を収納した本体）を取り外し、外針だけを患者の血管に留置し、さらに、当該留置された外針（図１６に示す例では外針側ハブ１０３）に、輸液用チューブ等を接続する処置を行わなければならず、その手間が面倒であった。
すなわち、従来技術の留置針は、輸液等の処置に用いる場合、その手間が面倒であるという技術的課題を有していた。特に、留置針を用いた輸液処置等を多く行う医療現場等では、医師や看護師等に大きな負担をかけていた。
【０００９】
本発明は、上記技術的課題を解決するためになされたものであり、本発明の目的は、輸液等の処置の手間を軽減した、使い勝手のよい留置針注射器を提供することにある。
【課題を解決するための手段】
【００１０】
上記課題を解決するためになされた本発明にかかる留置針注射器は、両端が貫通している中空筒状の軸体と、前記軸体の先端部に装着され、該先端部から突出する中空筒状になされた軟質の外針と、該外針の筒内に挿通された硬質の内針と、該軸体の筒内に収納され該内針の後端を保持する内針ユニットと、輸液チューブが接続される該軸体の後端部に形成された連結部とを備えた留置針注射器において、前記軸体の筒内には、前記内針ユニットと前記連結部との間に配置された、両端が貫通している中空筒状の貫通針が収納され、前記内針ユニットは両端が貫通した中空筒状になされ、前記外針に挿通された内針の先端部が該外針から前方に突出した状態になるように、その先端部で前記内針の後端部を保持すると共に、前記内針ユニットの筒内に前記内針からの液体の流入を防ぐ液止部材が装着され、前記連結部には、前記輸液チューブからの輸液の流入を封止する封止部材が装着され、ユーザからの操作を受けると、前記内針ユニットが前記軸体の後端側に後退して、前記突出させた内針の先端部を後退させ該軸体内に収納し、前記貫通針の一端が該後退してくる内針ユニットの筒内に挿通し、該筒内に装着された前記液止部材を貫通することにより該貫通針が内針を介して外針と連通し、さらに、前記内針ユニットの後退によって、該貫通針の他端が前記連結部に装着された封止部材を貫通することにより、前記外針から該内針を通って前記連結部に接続される輸液チューブに至る輸液ラインを連通させるようになされていることを特徴としている。
【００１１】
このように、本発明の留置針注射器によれば、軸体の後端部に輸液チューブを接続してから、患者の血管に内針及び外針を穿刺することで、その後は、ユーザ（医師などの留置針注射器の使用者）からの操作を受けた内針ユニットが、血管に穿刺された内針を血管から抜き取り軸体内に収納すると共に、血管に穿刺された外針から内針を通って輸液チューブに至る輸液ラインを連通させることができる。
すなわち、本発明の留置針注射器によれば、上述した従来技術のような面倒な作業を行うことなく、血管に穿刺された内針を抜き取り、輸液ラインを連通させることができるため、医師や看護師等が行う輸液等の処置の手間を軽減することができる。
特に、本発明では、内針ユニットに、内針からの液体の流入を防止する液止部材が装着されている。そのため、本発明によれば、血管に内針及び外針が穿刺された際、内針ユニットよりも後方側（連結部側）への血液（又は体液）の流入が防止される。
また、前記液止部材を、空気を通すが液体を通さない材料（例えば、発泡ウレタン等の連続気泡体）で形成するようにすれば、血管に内針及び外針を穿刺した際に、前記内針ユニットの筒内に血液（或いは体液）を流入させることができるため、フラッシュバックを確認できる。
また、連結部には、輸液チューブからの輸液の流入を封止する封止部材が装着されている。そのため、内針及び外針を穿刺する前段階において、連結部に輸液チューブが接続されても留置針注射針に輸液が流入することはない。
また、本発明によれば、内針ユニットと連結部との間に貫通針が配置され、内針ユニットを後退させると、貫通針が液止部材及び封止部材を貫通して輸液ラインが連通されるようになっている。
その結果、ユーザは、軸体の筒内の内針ユニットを後退させるという簡単な操作を行うだけで、前記輸液ラインを連通させることができる。
【００１２】
また、前記軸体の筒内には、該軸体の後端側に向けて前記内針ユニットを付勢する付勢手段が設けられ、前記内針ユニットは、前記軸体の側面部に着脱自在に係止できるようになされ、該係止された場合に前記外針に挿通された内針の先端部を該外針から前方に突出させた状態で維持し、ユーザからの操作により前記係止が解除された場合に前記付勢手段に付勢されて当該軸体の後端側に後退することが望ましい。
このように、軸体の筒内に内針ユニットを付勢する付勢手段を設け、さらに、当該内針ユニットを前記軸体の側面部に着脱自在に係止できるように構成することにより、ユーザは、前記係止を解除させるという簡単な操作を行うたけで、内針ユニットを後退させて、血管に穿刺された内針を血管から抜き取ると共に輸液ラインを連通させることができる。
【００１５】
また、前記貫通針は、その両端が、それぞれ、鋭利な形状に形成されていることが望ましい。
このように構成することにより、液止部材及び封止部材を確実に貫通破断させて、輸液ラインを連通させることができる。
【００１６】
また、前記貫通針の外周側面には、前記軸体の筒内側面に支持される貫通体が外嵌されており、前記貫通体は、上端側の外周側面および下端側の外周側面に、それぞれ、シール部材が装着され、前記輸液ラインが連通した場合、前記上端側の外周側面のシール部材が前記連結部の内周側面に当接して該連結部との間をシールし、前記下端側の外周側面のシール部材が前記内針ユニットの上端側の内筒面に当接して該内針ユニットとの間をシールするようになされていることが望ましい。
上記構成により、輸液ラインを連通させた場合、その輸液ラインからの液漏れを防止することができる。
【００１７】
また、上記課題を解決するためになされた本発明にかかる留置針注射器は、両端が貫通している中空筒状の軸体と、前記軸体の先端部に装着され、該先端部から突出する中空筒状になされた軟質の外針と、該外針の筒内に挿通された硬質の内針と、該軸体の筒内に収納され該内針の後端を保持する内針ユニットと、輸液チューブが接続される該軸体の後端部に形成された連結部とを備えた留置針注射器において、前記内針ユニットは、両端が貫通した中空筒状になされ、その先端部で前記内針の後端部を保持し、その筒内に前記内針からの液体の流入を防ぐ液止部材が装着され、前記連結部には、前記輸液チューブからの輸液の流入を制御する連通機構が設けられ、前記連通機構は、両端が貫通した中空筒状の貫通針と、前記貫通針の後端側の外周部に外嵌され、且つ先端に弁体が形成された弁棒と、両端が貫通した中空筒状になされ、その筒内に前記弁体と密着する弁座部が形成され、且つ該筒内に前記貫通針が挿通される継手部と、前記継手部の上端部に嵌合固定された止め具と、前記止め具と、前記弁体の後端面とに挟持された弾性体とを備え、前記弾性体により、前記軸体の前方に向けて弁棒が付勢されて前記弁体の先端面と弁座部とが密着されて輸液チューブからの輸液の流入が阻止するようになされ、ユーザからの操作を受けると、前記内針ユニットが前記軸体の後端側に後退して、前記突出させた内針の先端部を後退させ該軸体内に収納し、前記貫通針の一端が該後退してくる内針ユニットの筒内に挿通し、該筒内に装着された前記液止部材を貫通することにより該貫通針が内針を介して外針と連通し、さらに、前記貫通針及び弁棒が、該後退してくる内針ユニットに付勢されて後退し、該弁棒の弁体が前記弁座部から離れることにより、前記外針から該内針を通って前記連結部に接続される輸液チューブに至る輸液ラインを連通させるようになされていることを特徴としている。
このように本発明によれば、ユーザは、軸体の筒内の内針ユニットを後退させるという簡単な操作を行うだけで、前記輸液ラインが連通させることができる。したがって、本発明によれば、輸液処置の作業負担を軽減させることができる。
また、この本発明にかかる留置針注射器においても、前記軸体の筒内には、該軸体の後端側に向けて前記内針ユニットを付勢する付勢手段が設けられ、前記内針ユニットは、前記軸体の側面部に着脱自在に係止できるようになされ、該係止された場合に前記外針に挿通された内針の先端部を該外針から前方に突出させた状態で維持し、ユーザからの操作により前記係止が解除された場合に前記付勢手段に付勢されて当該軸体の後端側に後退するように構成されているのが望ましい。
【発明の効果】
【００１８】
本発明によれば、輸液等の処置の手間を軽減した、使い勝手のよい留置針注射器を提供することができる。
【図面の簡単な説明】
【００１９】
【図１】本発明の第１実施形態の留置針注射器の正面図である。
【図２】図１に示す留置針注射器のＡ−Ａ断面図である。
【図３】本発明の第１実施形態の留置針注射器の主要部品の断面を示した模式図である。
【図４】本発明の第１実施形態の留置針注射器を構成する軸体および外針を示した分解斜視図である。
【図５】本発明の第１実施形態の軸体及び外針の正面図である。
【図６】本発明の第１実施形態の留置針注射器のスライダ及び内針を示した斜視図である。
【図７】本発明の第１実施形態のスライダの正面図である。
【図８】本発明の第１実施形態の留置針注射器の連通機構を構成する貫通体および貫通針を示した模式図である。
【図９】本発明の第１実施形態の留置針注射器を構成する連結継手を示した斜視図である。
【図１０】本発明の第１実施形態の留置針注射器の動作を説明するための模式図である。
【図１１】本発明の第２実施形態の留置針注射器の断面を示した模式図である。
【図１２】本発明の第２実施形態の留置針注射器の主要部品の断面を示した模式図である。
【図１３】本発明の第２実施形態の留置針注射器の動作を説明するための模式図である。
【図１４】本発明の第３実施形態の留置針注射器の正面図である。
【図１５】本発明の第３実施形態の留置針注射器の断面を示した模式図である。
【図１６】従来技術の留置針の構成を示した模式図である。
【発明を実施するための形態】
【００２０】
以下、本発明の実施形態の留置針注射器について説明する。
先ず、本発明の第１実施形態の留置針注射器の概略構成について図１〜図３を用いて説明する。
図１は、本発明の第１実施形態の留置針注射器の正面図である。また、図２は、図１に示す留置針注射器のＡ−Ａ断面図である。
また、図３は、本発明の第１実施形態の留置針注射器の主要部品の断面を示した模式図である。
【００２１】
図示するように、留置針注射器Ｗは、両端が貫通している中空筒状の軸体１と、軸体１の先端部に装着され、その先端部から突出する中空筒状になされた軟質の外針２と、外針２の筒内に挿脱自在に挿通された硬質（例えば金属製）の内針３と、軸体１の筒内に内装されている内針３の後端部を保持する内針ユニット３０（図２、図３参照）と、軸体１の後端部に装着された連結継手４０と、軸体１の先端側に外嵌固定された翼部４（図１参照）とを備えている。また、軸体１の筒内には、軸体１の後端側に向けて内針ユニット３０を付勢する付勢手段３５（図２、図３参照）が収納されている。
なお、付勢手段３５には、例えば、コイルバネ（圧縮バネ）を用いることができる。
また、連結継手４０は、両端が貫通した中空筒状に形成され、その開放端部（後端部）に、輸液や血液などを収容した容器に連通している輸液チューブ（図示せず）が接続できるようになっている。また、連結継手４０の筒内には、封止部材４２（図２参照）が装着されており、この封止部材４２により輸液チューブからの輸液の流れを封止している。
さらに、軸体１の筒内には、外針２と、連結継手４０に接続された輸液チューブとを連通させるための連通機構５０（図２参照）が内装されている（連通機構５０は、内針ユニット３０と連結継手４０との間に配置されている）。
【００２２】
そして、留置針注射器Ｗは、初期状態においては、内針３の先端部を外針２の前方から突出させた状態（図１、２に示す状態）で維持・固定するようになっている。
また、留置針注射器Ｗは、医師や看護師等の使用者（ユーザ）からの操作を受け付けると、前記突出させた内針３を後退させて内針３の先端部を軸体１内に収納すると共に、外針２から連結継手４０に接続された輸液チューブに通じる輸液ラインを連通させるようになされている。
【００２３】
具体的には、内針ユニット３０は、内針３の後端部を保持し、且つ軸体１の軸心方向を移動可能になされたスライダ３１と、スライダ３１の筒内に装着された逆流防止体（液止部材）３３とを備えている。
また、内針ユニット３０は、軸体１に収納された付勢手段（例えば、圧縮バネ等により構成される）３５により、軸体１の後端部に向けて付勢されるようになっている。
なお、スライダ３１は、両端が貫通する筒状に形成され、その先端部に内針３の後端部が挿嵌固定される内針保持部３１ａ（図２、図３参照）が設けられている。
また、スライダ３１の筒内には、後述するように貫通針５１が挿通されたときに、挿通された貫通針５１の先端部５１ａを支持する針受部３１ｄ（図２、図３参照）が設けられている。
【００２４】
また、逆流防止体３３は、空気を通すが液体を通さない材料（例えば、発泡ウレタン等の連続気泡体）により形成されており、スライダ３１の筒内の針受部３１ｄの上方側の近傍に装着されている。
この逆流防止体３３により、血管に内針３及び外針２が穿刺された際、内針３を介してスライダ３１の筒内に血液（或いは体液）を流入させることができる（逆流防止体３３が空気を通すため）。また、逆流防止体３３は、液体を通さない材料により形成されているため、自身より先方への血液や体液の流入を防止する（この構成により、フラッシュバックを確認できる）。
【００２５】
また、上記の連通機構５０は、図２及び図３に示すように、両端が貫通している中空筒状の貫通針５１と、貫通針５１の外周部に外嵌固定され、且つ軸体１の筒内側面に摺動自在に支持されている貫通体５２とを備えている。
また、貫通針５１の両端は、それぞれ、鋭利な形状（先端部を斜めにカットしてなされた形状（所謂「注射針の針先」の形状））に形成されている。
【００２６】
そして、貫通針５１の一端側（先端側）の針先（先端部５１ａ）は、スライダ３１が付勢手段３５に付勢されて後退してきた際に、スライダ３１の筒内を挿通し、スライダ３１の筒内の逆流防止体３３を破断貫通して、その後、針受部３１ｄに当接する。
これにより、外針２が、内針３及びスライダ３１を介して、貫通針５１筒内に連通する。
また、貫通針５１は、スライダ３１が付勢手段３５に付勢されて後退してくると、貫通針５１に外嵌固定される貫通体５２と共に後端側に付勢され、他端側（後端側）の針先５１ｂが、連結継手４０の筒内の封止部材４２を破断貫通するようになっている。これにより、スライダ３１と連結継手４０に接続されている輸液チューブ（図示せず）が連通する。
【００２７】
このように、第１実施形態によれば、内針ユニット３０を構成するスライダ３１を後退させる操作を行うだけで、外針２の先端から突出させた内針３を後退させると共に、外針２と前記輸液チューブとを連通させることができる。
そのため、第１実施形態によれば、輸液等の処置の手間を軽減できる使い勝手のよい留置針注射器Ｗを提供することができる。
以下、第１実施形態の各構成について詳細に説明する。
なお、図１に示す翼部４の形状および機能は、公知のものと同様であるため、その説明を省略する。
【００２８】
先ず、軸体１および外針２の構造について、上述した図１〜図３と、図４及び図５とを用いて説明する。
なお、図４は、本発明の第１実施形態の留置針注射器を構成する軸体および外針を示した斜視図であり、図５は、第１実施形態の軸体及び外針の正面図である。
【００２９】
図示するように、軸体１は、両端が貫通した中空筒状に形成され、側面部を貫通する一対の係止溝１ａ（図示する例では、正面視コの字状の係止溝１ａ）が設けられている。なお、軸体１は、例えば、合成樹脂等により形成されている。
また、外針２は、ＰＥ（ポリエチレン）、ＰＰ（ポリプロピレン）、テフロン（登録商標）、ポリウレタン等の軟質材により形成され、両端が貫通した中空筒状になされている。
また、軸体１の先端部には、外針２の後端部が挿嵌・固定される外針保持部１ｂが設けられ、この外針保持部１ｂにより、外針２が保持されるようになっている。
なお、外針２の後端部と、外針保持部１ｂとの間には、Ｏリング５３ａ（図２参照）が装着され、Ｏリング５３ａにより、外針２と内針３の隙間からの液漏れを防止している。
また、軸体１の筒内の一端側（下端側）には、付勢手段３５を支持するバネ受け座１ｃ（図２及び図３参照）が設けられている。
【００３０】
次に、内針ユニット３０について、上述した図２〜図３と、図６及び図７とを用いて説明する。
なお、図６は、本発明の第１実施形態の留置針注射器のスライダ及び内針を示した斜視図である。また、図７は、本発明の第１実施形態のスライダの正面図である。
【００３１】
図示するように、内針ユニット３０を構成するスライダ３１は、合成樹脂等により形成され、両端が貫通した中空筒状になされている。また、スライダ３１は、一端部（先端部）に、内針３の後端部が挿嵌・固定される内針保持部３１ａ（図３参照）が設けられ、この内針保持部３１ａにより内針３の後端部を固定した状態で保持できるようになっている。
また、スライダ３１の筒内には、貫通針５１が挿通されたときに、挿通された貫通針５１の先端部５１ａを支持する針受部３１ｄ（図２、図３参照）が設けられている。
なお、スライダ３１の筒内には、上述したように、空気を通すが、液体を通さない材質（例えば、発泡ウレタン等の連続気泡体）により形成されている逆流防止体３３が内装されている。
【００３２】
また、スライダ３１は、その他端側（後端側）の外周側面に、軸体１の筒内側面に当接する鍔部３１ｂが設けられ、この鍔部３１ｂにより、スライダ３１が筒内側面に摺動自在に支持される。
また、スライダ３１の他端部（後端部）には、径方向の外側に突出する弾性変形可能な爪部３１ｃが設けられている。また、爪部３１ｃは、軸体１の係止溝１ａに着脱自在に係止できるようになっている。
【００３３】
また、内針ユニット３０を軸体１に装着する場合、図２及び図３に示すように、先ず、スライダ３１の内針保持部３１ａに内針３の後端部を挿嵌して固定し、鍔部３１ｂの下側に付勢手段３５を外嵌する。
次に、上記のように内針保持部３１ａに内針３が挿嵌され、且つ付勢手段３５を外嵌させたスライダ３１を軸体１の筒内に挿入し、スライダ３１の鍔部３１ｂと、軸体１のバネ受け座１ｃとにより付勢手段３５を挟持させ（所定の荷重を加えて（圧縮状態にして）挟持させ）、軸体１の係止溝１ａに、スライダ３１の爪部３１ｃを係止する。
そして、第１実施形態では、上記のように付勢手段３５を鍔部３１ｂと、軸体１の筒内のバネ受け座１ｃとに挟持させ、軸体１の係止溝１ａに、スライダ３１の爪部３１ｃを係止させると、内針保持部３１ａが保持している内針の先端側が外針２に挿通され、且つ挿通された内針３の先端部が外針２から前方に突出した状態で維持されるようになっている。
なお、この場合、スライダ３１は、付勢手段３５から軸体１の後端側に向けて付勢されている。
【００３４】
また、軸体１の係止溝１ａに係止された爪部３１ｃに径方向の荷重を加えて（爪部３１ｃを径方向に押圧して）、当該係止を解除すると、内針３を支持しているスライダ３１が付勢手段３５により軸体１の後端側に付勢され、外針２から突出した内針３の先端部は、軸体１の筒内に収納される（後述する図１０（ｂ）に示す状態になる）。
なお、使用者は、軸体１の係止溝１ａに係止された爪部３１ｃを解除する場合、爪部３１ｃに直接荷重を加えてもいいし、軸体１の係止溝１ａの近傍の外周側面を押下して、当該外周側面を介して、爪部３１ｃに荷重を加えるようにしてもよい。
【００３５】
次に、連通機構５０について、上述した図２及び図３と、図８及び図９とに基づいて説明する。
図８は、本発明の第１実施形態の留置針注射器の連通機構を構成する貫通体および貫通針を示した模式図である。また、図９は、本発明の第１実施形態の留置針注射器を構成する連結継手を示した斜視図である。
【００３６】
図示するように、貫通針５１は、金属や硬質な樹脂等で形成され、両端が貫通した中空筒状になされている。
また、貫通体５２は、合成樹脂等により形成され、両端が貫通した中空筒状になされている。また、貫通体５２は、その筒内に貫通針５１が挿嵌され、貫通針５１の外周側面に外嵌固定されるようになっている。
また、貫通体５２は、外周側面の略中央部に、軸体１の筒内側面に当接する鍔部５２ａが設けられている。そして、軸体１の筒内に貫通体５２を挿入した場合に、前記鍔部５２ａにより、貫通体５２が前記筒内側面に摺動自在に支持されるようになっている。
なお、第１実施形態では、両端がそれぞれ鋭利な形状（所謂「注射針の針先」の形状）になされた貫通針５１を用いているが、あくまでもこれは一例に過ぎない。貫通針５１は、先端が逆流防止体３３を貫通でき、後端が封止部材４２を貫通できる形状であれば、どのような形状であってもよい。
【００３７】
また、貫通体５２は、外周側面の上端側に、周方向に沿って環状の溝部５２ｂが形成され、外周側面の下端側に、周方向に沿って環状の溝部５２ｃが形成されている。
そして、貫通体５２の溝部５２ｂ、５２ｃには、それぞれ、Ｏリング５３ｂ、５３ｃ（図２参照）が嵌合さている。
なお、Ｏリング５３ｂは、外針２と輸液チューブ（図示せず）とを連通させた際に、当該貫通体５２に接続している連結継手４０との間をシールする。また、Ｏリング５３ｃは、外針２と前記輸液チューブとを連通させた際に、当該貫通体５２に接続されるスライダ３１との間をシールする。
【００３８】
また、図９に示すように、連結継手４０は、両端が貫通した中空筒状になされ、連通機構５０が装着された軸体１の後端部に外嵌固定される。また、連結継手４０の筒内は、封止部材４２（例えば、円板状の封止部材４２）により閉鎖されている。また、封止部材４２は、連通機構５０の貫通針５１の後端部と相対向して配置されている。
なお、封止部材４２は、連結継手４０に接続された輸液チューブ（図示せず）からの輸液の流入を阻止でき、且つ、後退してくる貫通針５１により破断・貫通される材料により形成されていればよく、その具体的な構成について特に限定されるものではない。
【００３９】
続いて、第１実施形態の留置針注射器Ｗの動作を図１０に基づいて説明する。
図１０は、本発明の第１実施形態の留置針注射器の動作を説明するための模式図であり、図１０（ａ）は、留置針注射器の初期状態を示した模式図であり、図１０（ｂ）は、留置針注射器の外針から突出した内針を後退させて、輸液ラインを連通させた状態を示した模式図である。
なお、以下の説明は、第１実施形態の留置針注射器Ｗを用いて輸液を行う場合を例にしている。
【００４０】
具体的には、留置針注射器Ｗは、使用前の初期状態においては、図１０（ａ）に示すように、内針ユニット３０の爪部３１ｃが軸体１の係止溝１ａ（図１、図３参照）に係止され、内針ユニット３０が保持する内針３が外針２の前方から突出した状態で維持・固定されている。
なお、留置針注射器Ｗは、使用前の初期状態においては、先端部分に、その外針２及び内針３を覆うキャップ状のプロテクタ（図示せず）が装着されている。
【００４１】
そして、留置針注射器Ｗを用いて、患者に輸液等を行う場合、医師や看護師等の使用者（ユーザ）は、先ず、後端部の連結継手４０に、輸液チューブ（図示せず）を接続すると共に、前記プロテクタを外す。
なお、連結継手４０に前記輸液チューブを接続しても、連結継手４０に装着されている封止部材４２により、前記輸液チューブから留置針注射器Ｗへの輸液の流入は阻止される。
【００４２】
次に、使用者は、前記輸液チューブが接続された留置針注射器Ｗを持ち、患者の血管に内針３及び外針２を穿刺する。
なお、患者の血管に内針３及び外針２が穿刺した場合、上述したように、血管内の血液や体液がフラッシュバックして内針３を介して、スライダ３１の筒内に流入するようになっている。また、スライダ３１の筒内の逆流防止体３３により、スライダ３１より上方（連通機構５０側）に前記血液および体液が流入しないようになっている。
そして、軸体１およびスライダ３１を透明な材料により形成することにより、使用者は、スライダ３１の筒内への血液の流入を視認することができ、これにより、内針３及び外針２が血管に穿刺されたことを確認することができる。
【００４３】
次に、使用者は、患者の血管への内針３及び外針２の穿刺が完了すると（或いは、前記スライダ３１の筒内への血液の流入を視認できたら）、内針ユニット３０の爪部３１ｃを押圧して（軸体１の径方向に押して）、爪部３１ｃの係止を解除する。
そして、前記爪部３１ｃの係止が解除されると付勢手段３５が延びて、内針３を保持しているスライダ３１が、付勢手段３５により、軸体１の後端側に付勢される。
これにより、スライダ３１と共に付勢される内針３は、血管から抜き取られて軸体１の筒内を後退し、図１０（ｂ）に示すように、その先端部３ａが軸体１の筒内に収納される。
【００４４】
また、内針３を保持しているスライダ３１が後退すると、図１０（ｂ）に示すように、後退してくるスライダ３１の筒内に貫通体５２および貫通針５１が挿通され、さらに、貫通針５１の先端部５１ａによりスライダ３１の筒内の逆流防止体３３が貫通される。
なお、スライダ３１の上端部の内筒面と、貫通体５２の外周側面とが嵌合するようになっており、これにより、スライダ３１の上端部と、貫通体５２とが接続される。
【００４５】
また、付勢手段３５により付勢されたスライダ３１は、連通機構５０の貫通体５２を付勢して後退させる。その結果、貫通体５２と共に貫通針５１が後退して、連結継手４０の筒内に貫通体５２と共に貫通針５１が挿通され、さらに、貫通針５１の後端部５１ｂが連結継手４０の筒内の封止部材４２を貫通する。
このように、第１実施形態によれば、爪部３１ｃの係止を解除することにより、血管に穿刺された内針３を、付勢手段３５の付勢力により血管から抜き取り軸体１に収納すると共に、外針２の先端から内針３を介してスライダ３１の筒内を通り、さらに、スライダ３１の筒内から貫通針５１および連結継手４０を介して前記輸液チューブに通じる輸液ラインを形成することができる。
【００４６】
また、図１０（ｂ）に示すように、輸液ラインを連通させた場合、貫通針５１に外嵌された貫通体５２の上端部に外嵌されたＯリング５３ｂが、軸体１の後端部近傍に配置されるようになっている。これにより、前記輸液ラインを連通させた場合、軸体１の後端部に位置する連結継手４０と貫通体５２との境界部がシールされ、貫通針５１の上端側外周部から、軸体１の筒内への輸液の流入が防止される。
また、図１０（ｂ）に示すように、外針２と前記輸液ラインとを連通させた場合、貫通体５２の下端部に外嵌されたＯリング５３ｃが、スライダ３１の上端部との境界部近傍に配置されるようになっている。これにより、輸液ラインを連通させた場合に、スライダ３１と貫通体５２との境界部がシールされる。
なお、第１実施形態では、上述したように、軸体１の外針保持部１ｂと、外針２の後端部との間に、Ｏリング５３ａ（図１０参照）が装着され、Ｏリング５３ａにより、外針２と内針３の隙間がシールされている。
【００４７】
また、爪部３１ｃの係止が解除されると、図１０（ｂ）に示すように、内針３の先端部３ａは、軸体１の先端部１ｂ１よりも内側（軸体１の後端側）に配置して収納されるように構成されている。この場合、内針３の先端部３ａは、外針２の筒内に挿通されている。
このように、第１実施形態では、爪部３１ｃの係止が解除すると、内針３の先端部３ａを、軸体１の先端面１ｂ１よりも内側（軸体１の後端側）の位置まで後退させることができるため（すなわち、内針３が完全に軸体１に収納されるため）、使用者の「針刺し事故」が防止される。
また、スライダ３１の筒内に連通している内針３の先端部３ａが、外針２の筒内に挿通されているため、前記爪部３１ｃの係止が解除した場合においても、外針２から内針３を介してスライダ３１の筒内を通る流路が確保される。
【００４８】
以上、説明したように、本発明の第１実施形態の留置針注射器Ｗを用いるようにすれば、使用者は、患者の血管に内針３及び外針２を穿刺した後は、内針ユニット３０のスライダ３１を後退させる操作をするだけで（爪部３１ｃを押すだけで）、血管に穿刺された内針３を血管から抜き取り軸体１内に収納すると共に、血管に穿刺された外針２と輸液チューブとを連通させることができる。
そのため、第１実施形態によれば、医師や看護師等が行う輸液等の処置の手間を軽減することができる。
また、第１実施形態では、貫通針５１の両端が鋭利な形状に形成されているため、逆流防止体３３及び封止部材４２を確実に破断貫通することができる。
【００４９】
次に、本発明の第２実施形態について説明する。
本発明の第２実施形態は、上述した第１実施形態の構成の一部を変形したものであり、留置針注射器の後端側に、輸液の流れを制御するバルブ機構を備えた連通機構を設けたものである。
なお、第２実施形態の説明において、上述した第１実施形態と同じ構成については、同じ符号を付し、その説明を省略する。
【００５０】
先ず、第２実施形態の構成について、図１１〜図１２に基づいて説明する。
図１１は、本発明の第２実施形態の留置針注射器の断面を示した模式図である。また、図１２は、本発明の第２実施形態の留置針注射器の主要部品の断面を示した模式図である。
【００５１】
図示するように、第２実施形態の留置針注射器Ｖは、軸体１、外針２、内針３、内針ユニット３０、および内針ユニット３０を付勢する付勢手段３５を備え、さらに、軸体１の後端部（一端部）に、バルブ機能を備えた連通機構６０が設けられている。また、軸体１の先端側には、第１実施形態と同様、翼部４（図１参照）が外嵌固定されている。
なお、軸体１、外針２、内針３、内針ユニット３０、付勢手段３５及び翼部４は、いずれも、上述した第１実施形態のものと同様であるため、ここでの説明は省略する。
【００５２】
また、連通機構６０は、両端が貫通している中空筒状の貫通針６１と、貫通針６１の一端側（後端側）に外嵌固定され、貫通針６１の後端側の外周部を覆う棒状の弁棒６３と、貫通針６１及び弁棒６３を軸心方向に摺動自在に支持するバルブ継手６２と、バルブ継手６２の一端（後端）部に挿嵌固定された両端が貫通している筒状のスプリング止め部６５と、弁棒６３およびスプリング止め部６５に挟持され、弁棒６３を付勢するバルブスプリング６４とを備えている。
また、バルブ継手６２の後端に挿嵌固定されたスプリング止め部６５の後端部の開口６５ａには、輸液を収容した容器に連通した輸液チューブ（図示せず）が接続できるようになっている。
また、貫通針６１は、金属や硬質な樹脂等により形成されている。また、バルブ継手６２、弁棒６３、スプリング止め部６５は、合成樹脂等により形成されている。また、バルブスプリング６４は、金属等により形成されている。
なお、上記の説明では、弁棒６３を付勢する手段に、バルブスプリング６４を用いているが、バルブスプリング６４は、弁棒６３を付勢する弾性体の一例に過ぎない。
【００５３】
また、貫通針６１は、その他端（先端）部に鋭利な針先部６１ａが形成され、側面部に所定の大きさの貫通孔６１ｂが形成されている。
また、前記貫通孔６１ｂは、貫通針６１の長手方向における中心より上方側に設けられており、後述する弁棒６３の弁体６３ａが開いた（弁座部６２ａから離れた）際に、貫通針６１の筒内に輸液を流入させる開口部として機能する。
なお、図１１及び図１２では、先端部が斜めにカットしてなされた形状（所謂「注射針の針先」の形状）の貫通針６１を示しているが、あくまでもこれは一例に過ぎない。貫通針６１は、その先端部が、逆流防止体３３を貫通できる形状であれば、どのような形状であってもよい。
【００５４】
また、図１２に示すように、弁棒６３は、弁体６３ａと、弁体６３ａの後端から延設された棒状の棒体部６３ｂとにより構成されている。
また、弁棒６３は、弁体６３ａの先端面６３ａ１から棒体部６３ｂに向かって、軸心に沿って延びる凹状の穴部６３ｃが形成され、穴部６３ｃに、貫通針６３の後端側が挿嵌固定されるようになっている。
また、弁体６３ａの後端部には、バルブスプリング６４が載置されるバネ受座６３ａ２が形成されている。
【００５５】
また、バルブ継手６２は、両端が貫通した筒状になされ、その貫通した筒内に、弁棒６３の弁体６３ａの先端面６３ａ１と密着する形状の弁座部６２ａが形成されている。
また、バルブ継手６２の外周側面には、軸体１の後端部に載置される鍔部６２ｂが設けられている。また、バルブ継手６２の先端側の外周側面には、周方向に沿って延びる環状の溝部６２ｃが形成され、その溝部６２ｃに、Ｏリング６２ｄ（図１１参照）が嵌合されている。
【００５６】
そして、連通機構６０は、軸体１の後端側に、以下のように配置されて装着される。
具体的には、バルブ継手６２は、鍔部６２ｂより下方部分が、軸体１の後端部から筒内に挿入され、軸体１の筒内に固定される。
また、バルブ継手６２の筒内には、弁棒６３が装着された貫通針６１と、弁棒６３の弁体６３ａのバネ受座６３ａ２に載置されたバルブスプリング６４とが挿入される。
なお、貫通針６１に弁棒６３を装着した場合、弁棒６３の弁体６３ａの先端面６３ａ１は、貫通孔６１ｂの近傍であって、且つ貫通孔６１ｂよりも後端側（図示する上側）に配置されるようになっている。
さらに、バルブ継手６２の後端に、バルブスプリング６４の後端を支持する（押さえる）スプリング止め部６５が挿嵌固定される。これにより、スプリング止め部６５とバネ受座６３ａ２とにより、バルブスプリング６４が挟持され、バルブスプリング６４が下方側（弁座部６２ａ側）に向けて弁棒６３を付勢する。
【００５７】
上記の構成により、貫通針６１は、スプリング止め部６５に支持されたバルブスプリング６４からの弾性力により、先端側に向けて付勢され、弁棒６３の弁体６３ａの先端面６３ａ１が弁座部６２ａに当接した位置で止まると共に、その先端部が、バルブ継手６２の先端側から突出するようになっている。
また、貫通針６１に装着された弁棒６３は、バルブスプリング６４からの弾性力により、先端側に向けて付勢され、弁体６３ａの先端面６３ａ１が弁座部６２ａに当接した状態が維持される（弁体６３ａが閉じた状態が維持される）。
また、貫通針６１および弁棒６３に対して、後端側に向けて、バルブスプリング６４からの弾性力よりも大きい荷重をかけると、バルブスプリング６４が圧縮されるため、貫通針６１および弁棒６３が後端側に移動する。この場合、弁体６３ａの先端面６３ａ１が弁座部６２ａから離れた状態になる（弁体６３ａが開いた状態になる）。
【００５８】
続いて、第２実施形態の留置針注射器Ｖの動作を図１３に基づいて説明する。
図１３は、本発明の第２実施形態の留置針注射器の動作を説明するための模式図であり、図１３（ａ）は、留置針注射器の初期状態を示した模式図であり、図１３（ｂ）は、留置針注射器の外針から突出した内針を後退させて、輸液ラインを連通させた状態を示した模式図である。
なお、以下の説明は、第２実施形態の留置針注射器Ｖを用いて輸液を行う場合を例にしている。
また、以下の説明では、第１実施形態と同じ動作については、その説明を簡略化する。
【００５９】
具体的には、留置針注射器Ｖは、使用前の初期状態においては、図１３（ａ）に示すように、内針ユニット３０の爪部３１ｃが軸体１の係止溝１ａ（図１参照）に係止され、内針ユニット３０が保持する内針３が外針２の前方から突出した状態で維持・固定されている。
なお、留置針注射器Ｖは、使用前の初期状態においては、先端部分に、その外針２及び内針３を覆うキャップ状のプロテクタ（図示せず）が装着されている。
【００６０】
そして、留置針注射器Ｖを用いて、患者に輸液等を行う場合、使用者は、先ず、スプリング止め部６５の後端部の開口６５ａに、輸液ラインを構成する輸液チューブを接続すると共に、前記プロテクタを外す。
なお、図１３（ａ）に示す初期状態においては、貫通針６１に装着された弁棒６３が、バルブスプリング６４により付勢され、弁体６３ａが弁座部６２ａに密着した状態となっている（弁体６３ａが閉じている）。そのため、スプリング止め部６５の開口６５ａに前記輸液チューブを接続しても輸液が、弁体６３ａよりも先に（下流に）流入することはない。
【００６１】
次に、使用者は、前記輸液チューブが接続された留置針注射器Ｖを持ち、患者の血管に内針３及び外針２を穿刺する。
なお、患者の血管に内針３及び外針２が穿刺した場合、上述したように、血管内の血液や体液が内針３を介して、スライダ３１の筒内に流入する。また、スライダ３１の筒内の逆流防止体３３により、スライダ３１より上方への血液や体液の流入が防止される。
【００６２】
次に、使用者は、患者の血管への内針３及び外針２の穿刺が完了すると、内針ユニット３０の爪部３１ｃを押圧して（軸体１の径方向に押して）、爪部３１ｃの係止を解除する。
そして、前記爪部３１ｃの係止が解除されると付勢手段３５が延びて、内針３を保持しているスライダ３１が、付勢手段３５により、軸体１の後端側に付勢される。
これにより、スライダ３１と共に付勢された内針３は、血管から抜き取られて軸体１の筒内に後退する。
【００６３】
また、内針３を保持しているスライダ３１が後退すると、図１３（ｂ）に示すように、後退してくるスライダ３１の筒内に、貫通針６１及びバルブ継手６２の先端部が挿通され、さらに、貫通針６１の先端部６１ａが、スライダ３１の筒内の逆流防止体３３を貫通する。
なお、スライダ３１の上端部の内筒面と、バルブ継手６２の外周側面とが嵌合するようになっており、これにより、スライダ３１の上端部と、バルブ継手６２とが接続される。
【００６４】
また、スライダ３１は、付勢手段３５により付勢されて後退する過程において、筒内に形成された針受部３１ｄに、前記挿通された貫通針６１の先端部６１ａが当接するようになっている。そのため、針受部３１ｄに当接した貫通針６１は、スライダ３１を介して、付勢手段３５からの後端側への弾性力（バルブスプリング６４からの弾性力よりも大きい弾性力）を受ける。
その結果、図１３（ｂ）に示すように、貫通針６１および貫通針６１に装着された弁棒６３は、付勢手段３５により、後端側へ付勢され、バルブスプリング６４を圧縮して後端側に移動して、弁棒６３の弁体６３ａが弁座部６２ａから離れた状態になる（すなわち、弁体６３ａが開く）。
【００６５】
これにより、前記輸液チューブからスプリング止め部６５の筒内を介して、バルブ継手６２の筒内に入り、弁体６３ａと弁座部６２ａとの隙間を通り、貫通針６１の貫通孔６１ｂを通過して貫通針６１の筒内に入り、さらに、貫通針６１からスライダ３１の筒内を介して、内針３を通って外針２に連通する流路が形成される。
すなわち、第２実施形態によれば、爪部３１ｃの係止を解除することにより、血管に穿刺された内針３を、付勢手段３５の付勢力により血管から抜き取り軸体１に収納すると共に、外針２の先端から内針３を介してスライダ３１の筒内を通り、さらに、スライダ３１の筒内から貫通針６１、バルブ継手６２およびスプリング止め部６５を介して前記輸液チューブに通じる輸液ラインを形成することができる。
【００６６】
そのため、第２実施形態においても、患者の血管に内針３及び外針２を穿刺した後は、上述した従来技術のような面倒な作業を行うことなく、内針ユニット３０のスライダ３１を後退させる操作だけで（爪部３１ｃを押すだけで）、血管に穿刺された内針３を血管から抜き取り軸体１内に収納すると共に、血管に穿刺された外針２から輸液チューブに連通する輸液ラインを形成させることができる。
そのため、第２実施形態においても、第１実施形態と同様、医師や看護師等が行う輸液等の処置の手間を軽減することができる。
【００６７】
次に、本発明の第３実施形態について説明する。
本発明の第３実施形態は、上述した第１実施形態の構成の一部を変形したものであり、上述したように付勢手段３５により内針ユニットを後退させるのではなく、使用者が手で内針ユニットに荷重を加えて後退させるようにしたものである。
なお、第３実施形態の説明において、上述した第１実施形態と同じ構成については、同じ符号を付し、その説明を省略する。
また、第３実施形態の留置針注射器を構成する軸体は、第１実施形態のものと一部構造が異なっているが、説明の便宜上、同じ符号を付す。
【００６８】
先ず、第３実施形態の構成について、図１４〜図１５に基づいて説明する。
図１４は、本発明の第３実施形態の留置針注射器の正面図であり、図１４（ａ）は、留置針注射器の初期状態を示した正面図であり、図１４（ｂ）は、留置針注射器の外針から突出した内針を後退させて、輸液ラインを連通させた状態を示した正面図である。
また、図１５は、本発明の第３実施形態の留置針注射器の断面を示した模式図であり、図１５（ａ）は、留置針注射器の初期状態を示した模式図であり、図１５（ｂ）は、留置針注射器の外針から突出した内針を後退させて、輸液ラインを連通させた状態を示した模式図である。
【００６９】
図示するように、第３実施形態の留置針注射器Ｘは、軸体１、外針２、内針３、内針ユニット７０、連通機構５０（図１５参照）及び連結継手４０を備えている。また、軸体１の先端側には、翼部４（図１４参照）が外嵌固定されている。
なお、外針２、内針３、連通機構５０及び翼部４は、いずれも、上述した第１実施形態のものと同様であるため、ここでの説明は省略する。
【００７０】
第３実施形態の軸体１は、第１実施形態のものと同様、両端が貫通した中空筒状に形成され、その先端部に、外針２の後端部が挿嵌・固定される外針保持部１ｂが設けられている。
また、第３実施形態では、軸体１の側面部に、軸体１の軸心方向に延びる長孔状のガイド溝１ｄが形成されており、このガイド溝１ｄに、後述するスライダ７１の外周部に形成されたガイド突起部７１ｃ（図１５参照）が摺動自在に挿通されるようになっている。
なお、第３実施形態においても、第１実施形態と同様、外針２の後端部と、外針保持部１ｂとの間には、Ｏリング５３ａ（図１５参照）が装着され、Ｏリング５３ａにより、外針２と内針３との隙間からの液漏れを防止している。
【００７１】
また、図１５に示すように、内針ユニット７０は、内針３の後端部を保持し、且つ軸体１の軸心方向を移動可能になされたスライダ７１と、スライダ７１の筒内に装着された逆流防止体（液止部材）３３とを備えている。
また、スライダ７１は、第１実施形態と同様、両端が貫通する中空筒状に形成され、その先端部に内針３の後端部が挿嵌固定される内針保持部７１ａ（第１実施形態の内針保持部３１ａと同様の構造）が設けられている。
また、スライダ７１の筒内には、第１実施形態と同様、貫通針５１が挿通されたときに、挿通された貫通針５１の先端部５１ａを支持する針受部７１ｄ（第１実施形態の針受部３１ｄと同様の構造）が設けられている。
【００７２】
また、スライダ７１の外周側面部には、スライダ７１の径方向に延びる凸状のガイド突起部７１ｃが形成され、さらに、このガイド突起部７１ｃの上端部に、操作つまみ７１ｅが装着されている。
そして、内針３の後端部を保持したスライダ７１を軸体１の筒内に装着する場合、軸体１のガイド溝１ｄに、ガイド突起部７１ｃを挿通させ、且つガイド突起部７１ｃの上端部に操作つまみ７１ｅを装着する。
これにより、使用者が、操作つまみ７１ｅを指で操作することにより、スライダ７１をガイド溝１ｄに沿って移動させることができる。
【００７３】
また、留置針注射器Ｘは、使用前の初期状態においては、図１４（ａ）及び図１５（ａ）に示すように、内針ユニット７０が保持する内針３が外針２の前方から突出した状態で維持されるようになっている。
なお、内針３を外針２の前方から突出した状態（初期状態）で維持する構成は、特に限定されるものではないが、以下では、説明の便宜上、軸体１のガイド溝１ｄの下端部１ｄ１の近傍に係止孔（図示せず）が設けられ、且つ操作つまみ７１ｅに前記係止孔に着脱自在に係止される係止爪（図示せず）を設けられている場合を例にする。
この構成により、前記係止孔に操作つまみ７１ｅの前記係止爪を係止することにより、スライダ７１を固定できるため、スライダ７１を保持する内針３を外針２の前方から突出させた状態で維持することができる。
【００７４】
続いて、第３実施形態の留置針注射器Ｘの動作を図１５に基づいて説明する。
なお、以下の説明は、第３実施形態の留置針注射器Ｘを用いて輸液を行う場合を例にしている。
また、以下の説明では、第１実施形態と同じ動作については、その説明を簡略化する。
【００７５】
具体的には、医師や看護師等の使用者（ユーザ）は、先ず、図１５（ａ）に示す初期状態の留置針注射器Ｘの連結継手４０に、輸液チューブ（図示せず）を接続してから、患者の血管に内針３及び外針２を穿刺する。
【００７６】
次に、使用者は、患者の血管への内針３及び外針２の穿刺が完了すると、スライダ７１の係止を解除し、さらに、スライダ７１の操作つまみ７１ｅを指で押して（軸体１の後端方向への荷重を加えて）、スライダ７１をガイド溝１ｄに沿って後退させる。
そして、スライダ７１が後退すると、スライダ３１が保持する内針３が、血管から抜き取られて軸体１の筒内に後退する。
また、内針３を保持しているスライダ７１が後退すると、図１５（ｂ）に示すように、後退してくるスライダ７１の筒内に、貫通針５１及び貫通体５２の先端部が挿通され、さらに、貫通針５１の先端部５１ａが、スライダ７１の筒内の逆流防止体３３を貫通する。
なお、スライダ７１の上端部の内筒面と、貫通体５２の外周側面とが嵌合するようになっており、これにより、スライダ７１の上端部と、貫通体５２とが接続し固定される。
【００７７】
また、スライダ７１は、使用者に押されて後退する過程において、筒内に形成された針受部７１ｄに、前記挿通された貫通針５１の先端部５１ａが当接するようになっている。
そのため、針受部７１ｄに当接した貫通針５１は、スライダ７１を介して、後端側に付勢されて後退し、連結継手４０の筒内に、貫通体５２と共に貫通針５１が挿通され、さらに、貫通針５１の後端部５１ｂが連結継手４０の筒内の封止部材４２を貫通する。
なお、操作つまみ７１ｅが、軸体１のガイド溝１ｄの上端部１ｄ２の近傍に配置された場合（図１５（ｂ）に示す位置に配置した場合）、スライダ７１を固定するロック機構が設けられていてもよい（このようにすれば、軸体１に収納された内針３が、再度、軸体１の外側に飛び出ることがない）。
【００７８】
このように、第３実施形態によれば、使用者が操作つまみ７１ｅを後端側にスライドさせることにより、血管に穿刺された内針３を血管から抜き取り軸体１に収納すると共に、外針２から内針３を介してスライダ７１の筒内を通り、さらに、スライダ７１の筒内から貫通針５１および連結継手４０を介して前記輸液チューブに通じる輸液ラインを形成することができる。
そのため、第３実施形態においても、第１実施形態と同様、医師や看護師等が行う輸液等の処置の手間を軽減することができる。
なお、本発明は、上述した実施形態（第１実施形態、第２実施形態及び第３実施形態）に限定されるものではなく、その要旨の範囲内において種々の変更が可能である。
【００７９】
例えば、上述した実施形態では、Ｏリング５３ａ、５３ｂ、５３ｃにより、液漏れを防止しているが、Ｏリング５３ａ、５３ｂ、５３ｃは、シール部材の一例に過ぎず、Ｏリング５３ａ、５３ｂ、５３ｃ以外のシール部材により、上記の液漏れを防止するようなされていてもよい。
【００８０】
また、上述した第２実施形態において、軸体１及び内針ユニット３０の構成を、第３実施形態の軸体１及び内針ユニット７０の構成に変更しても、上述した各実施形態と同様の効果を奏することができる。
【符号の説明】
【００８１】
Ｗ      留置針注射器
Ｖ      留置針注射器
Ｘ      留置針注射器
１      軸体
１ａ    係止溝（軸体）
１ｂ    外針保持部（軸体）
１ｃ    バネ受け座（軸体）
１ｄ    ガイド溝
２      外針
３      内針
４      翼部
３０    内針ユニット
３１    スライダ（内針ユニット）
３１ａ  内針保持部（スライダ（内針ユニット））
３１ｄ  針受部（スライダ（内針ユニット））
３３    逆流防止体（内針ユニット）
３５    付勢手段
４０    連結継手
４２    封止部材
５０    連通機構
５１    貫通針（連通機構）
５２    貫通体（連通機構）
５２ａ  鍔部（貫通体（連通機構））
５２ｂ  溝部（貫通体（連通機構））
５２ｃ  溝部（貫通体（連通機構））
５３ａ  Ｏリング
５３ｂ  Ｏリング
５３ｃ  Ｏリング
６０    連通機構
６１    貫通針
６１ａ  針先部（貫通針）
６１ｂ  貫通孔（貫通針）
６２    バルブ継手
６３    弁棒
６３ａ  弁体（弁棒）
６３ｂ  棒体部（弁棒）
６３ｃ  穴部（弁棒）
６４    バルブスプリング
６５    スプリング止め部
７０    内針ユニット
７１    スライダ（内針ユニット）
７１ａ  内針保持部（スライダ（内針ユニット））
７１ｃ  ガイド突起部（スライダ（内針ユニット））
７１ｄ  針受部（スライダ（内針ユニット））
７１ｅ  操作つまみ（スライダ（内針ユニット））
【図１】
0005441564.tif 000002
【図２】
0005441564.tif 000003
【図３】
0005441564.tif 000004
【図４】
0005441564.tif 000005
【図５】
0005441564.tif 000006
【図６】
0005441564.tif 000007
【図７】
0005441564.tif 000008
【図８】
0005441564.tif 000009
【図９】
0005441564.tif 000010
【図１０】
0005441564.tif 000011
【図１１】
0005441564.tif 000012
【図１２】
0005441564.tif 000013
【図１３】
0005441564.tif 000014
【図１４】
0005441564.tif 000015
【図１５】
0005441564.tif 000016
【図１６】
0005441564.tif 000017